(57)【特許請求の範囲】
【請求項１】
生体における動脈の弾性度を評価するための装置であって、
前記生体の一部に巻回されるカフと、
前記生体における平均血圧値以上の圧力領域において、該カフの圧迫圧力を所定速度で緩やかに変化させる圧力変化手段と、
前記圧力変化手段による該カフの圧迫圧力を変化させる過程において、該カフに発生する圧力振動波であるカフ脈波を逐次検出するカフ脈波検出手段と、
前記圧力変化手段による該カフの圧迫圧力を変化させる過程において、前記生体に接触される電極を通して、該生体における心筋の活動電位に伴って発生する心電誘導波形を逐次検出する心電誘導波形検出手段と、
前記カフ脈波検出手段により逐次検出されたカフ脈波の周期毎に発生する立ち上がり部位から、前記心電誘導波形検出手段により逐次検出された心電誘導波形の周期毎に発生する所定の部位までの時間差を逐次算出する時間差算出手段と、
前記圧力変化手段により該カフの圧迫圧力が変化させられると共に、前記時間差算出手段により逐次算出される時間差が変化する傾向に基づいて、前記生体における動脈の弾性度を評価する動脈弾性度評価手段と
を、含むことを特徴とする動脈弾性度評価装置。
【発明の詳細な説明】
【０００１】
【発明の属する技術分野】
本発明は、生体における動脈の弾性度を評価するための動脈弾性度評価装置に関するものである。
【０００２】
【従来の技術】
従来、高血圧患者の高血圧症の進行の程度を診断する場合、診断に先立って通常血圧測定が行われていた。このような目的で用いられる血圧測定装置としては、たとえば、生体の一部に巻回されるカフの圧迫圧力を所定速度で緩やかに降圧させ、この徐速降圧過程において発生する脈拍同期波の振幅の変化に基づいてよく知られたオシロメトリック方式により血圧測定を行う装置などがよく知られている。たとえば、特開平６−２９２６６０号公報に記載された自動血圧測定装置がそれである。
【０００３】
【発明が解決すべき課題】
ところが、この血圧測定という手段は、症状を発見する際には非常に有効であるが、例えば食事療法などによる高血圧症の改善の程度を評価する際には、実はあまり有効な評価方法ではなかった。なぜなら、慢性的な高血圧患者は、通常何等かの血圧降下剤を日常的に服用しているものだからである。以上のような事情を背景として、高血圧症を引き起こす主原因と考えられる血管内壁への脂肪、石灰質等の沈着による動脈の弾性力の低下の程度を直接的に評価するための何等かの装置の開発が期待されていたところ、長年にわたる研究の結果、本出願人は、後述するカフ脈波の周期毎に発生する所定の部位から、同じく後述する心電誘導波形の周期毎に発生する所定の部位までの時間差は、カフの圧迫圧力が生体の平均血圧値以上である領域においては、生体の一部に巻回されるカフの圧迫圧力の変化に応じて変化し、この変化の仕方は生体の動脈の弾性度に強く依存している。すなわち、動脈の弾性度が小さい場合は変化の仕方が緩慢であり、動脈の弾性度が大きい場合は急激であるという事実を発見するに至ったのである。
【０００４】
本発明は以上のような事情を背景として為されたものであり、その目的とするところは、生体における動脈の弾性度を評価することのできる動脈弾性度評価装置を提供することにある。
【０００５】
【課題を解決するための手段】
かかる目的を達成するための本発明の要旨とするところは、生体における動脈の弾性度を評価するための装置であって、（ａ）前記生体の一部に巻回されるカフと、（ｂ）前記生体における平均血圧値以上の圧力領域において、カフの圧迫圧力を所定速度で緩やかに変化させる圧力変化手段と、（ｃ）前記圧力変化手段によるカフの圧迫圧力を変化させる過程において、カフに発生する圧力振動波であるカフ脈波を逐次検出するカフ脈波検出手段と、（ｄ）前記圧力変化手段によるカフの圧迫圧力を変化させる過程において、前記生体に接触される電極を通して、生体における心筋の活動電位に伴って発生する心電誘導波形を逐次検出する心電誘導波形検出手段と、（ｅ）前記カフ脈波検出手段により逐次検出されたカフ脈波の周期毎に発生する立ち上がり部位から、前記心電誘導波形検出手段により逐次検出された心電誘導波形の周期毎に発生する所定の部位までの時間差を逐次算出する時間差算出手段と、（ｆ）前記圧力変化手段によりカフの圧迫圧力が変化させられると共に、前記時間差算出手段により逐次算出される時間差が変化する傾向に基づいて、前記生体における動脈の弾性度を評価する動脈弾性度評価手段とを、含むことにある。
【０００６】
【発明の効果】
このようにすれば、圧力変化手段によりカフの圧迫圧力が所定速度で緩やかに変化させられる過程において、カフ脈波検出手段によりカフに発生する圧力振動波であるカフ脈波が逐次検出され、心電誘導波形検出手段により生体に接触される電極を通して、生体の心電誘導波形が逐次検出されると、時間差算出手段によりカフ脈波の周期毎に発生する立ち上がり部位から、心電誘導波形の周期毎に発生する所定の部位までの時間差が逐次算出される。そして、動脈弾性度評価手段により、圧力変化手段によりカフの圧迫圧力が変化させられると共に、時間差算出手段により逐次算出される時間差の変化する傾向に基づいて、生体における動脈の弾性度が評価される。したがって、高血圧患者に対して、より根源的な原因に遡って症状の進行の程度を評価することが可能となるので、日常的に血圧降下剤を服用している高血圧患者に対しても、たとえば、食事療法などによる高血圧症の改善の程度を評価することが可能となる。
【０００７】
【発明の実施の形態】
以下、本発明の一実施例を図面に基づいて詳細に説明する。図１は、動脈弾性度評価装置を含む、自動的に生体の血圧値を測定する自動血圧測定装置８を示す斜視図である。
【０００８】
図１において、箱体１０には、被測定者の右腕１２を差し込むための貫通穴１４が設けられており、その貫通穴１４内には、袋状の可撓性布およびゴム袋から成るカフ１５を内周面に備えて円筒状に保持されたベルト１６が配設されている。また、貫通穴１４の背面方向には、貫通穴１４から突き出した被測定者の右腕１２を支持するための第１アームレスト１７が上り坂状に設けられており、その第１アームレスト１７の先端部には、被測定者の心電の活動電位に伴って発生する心電誘導波形を検出するために、電極１８が被測定者の右腕１２の手首に良好に接触するように配設されている。なお、この第１アームレスト１７は、被測定者の手首から常に正確な心電誘導波形を検出できるように、被測定者の右腕１２の肘から手首に至るまでの筋肉が絶えず弛緩した状態に保たれるように、肘から手首に至る間を全体的に支持する最適な支持面形状を備えている。また、箱体１０の左側には、被測定者の左腕１３を支持するための第２アームレスト１９が設けられており、第２アームレスト１９の先端部には、同じく被測定者の心電誘導波形を検出するために、電極１８が、被測定者の左腕１３の手首に良好に接触するように配設されている。なお、この第２アームレスト１９も、第１アームレスト１７と同様に被測定者の左腕１３の肘から手首に至るまでの筋肉が絶えず弛緩した状態に保たれるような最適な支持面形状を備えている。箱体１０の操作パネル２０には、起動スイッチ２２、停止スイッチ２４、プリンタ２６、カード挿入口２８などが配設され、表示パネル３０には、最高血圧表示器３２、最低血圧表示器３４、脈拍数表示器３６、時刻表示器３８がそれぞれ配設されている。
【０００９】
図２は、上記自動血圧測定装置８の回路構成を説明するブロック線図である。図２において、カフ１５は、圧力センサ４０、切換弁４２、および空気ポンプ４４と配管４６を介して接続されており、この切換弁４２は、カフ１５内への圧力の供給を許容する圧力供給状態、カフ１５内を徐々に排圧する徐速排圧状態、およびカフ１５内を急速に排圧する急速排圧状態の３つの状態に切り換えられるように構成されている。また、そのカフ１５を内周面に備えて円筒状に巻回されたベルト１６の一端は固定され、且つ他端は減速機付きＤＣモータ４８により駆動されるドラム５０により引き締められるように構成されている。圧力センサ４０は、カフ１５内の圧力を検出してその圧力を表す圧力信号ＳＰを静圧弁別回路５２および脈波弁別回路５４にそれぞれ供給する。
【００１０】
上記静圧弁別回路５２はローパスフィルタを備え、圧力信号ＳＰに含まれる定常的な圧力すなわちカフ圧を表すカフ圧信号ＳＫを弁別してそのカフ圧信号ＳＫをＡ／Ｄ変換器５６を介して電子制御装置５８へ供給する。また、上記脈波弁別回路５４はバンドパスフィルタを備え、圧力信号ＳＰの振動成分である脈波信号ＳＭ１  を周波数的に弁別してその脈波信号ＳＭ１  をＡ／Ｄ変換器６０を介して電子制御装置５８へ供給する。この脈波信号ＳＭ１  が表すカフ脈波は、被測定者の心拍に同期して図示しない上腕動脈から発生してカフ１５に伝達される圧力振動波である。
【００１１】
上記電子制御装置５８は、ＣＰＵ６２、ＲＯＭ６４、ＲＡＭ６６、及び図示しないＩ／Ｏポート等を備えた所謂マイクロコンピュータにて構成されており、ＣＰＵ６２は、ＲＡＭ６６の一時記憶機能を利用しつつ予めＲＯＭ６４に記憶された手順に従って入力信号を処理して駆動信号や表示信号などを出力する。すなわち、血圧測定に際しては、ＣＰＵ６２は、予め定められた手順に従って、減速機付きＤＣモータ４８を駆動することにより、カフ１５を生体の上腕部に巻回し、空気ポンプ４４を駆動することにより、カフ１５により上腕部を圧迫し、次いで切換弁４２を駆動してカフ１５の圧迫圧力を徐々に降圧させ、その徐速降圧過程において得られる脈波信号ＳＭ１  およびカフ圧信号ＳＫに基づいてオシロメトリック方式により血圧値を決定し、その血圧値を最高血圧表示器３２および最低血圧表示器３４に表示させると同時に、記憶装置６８の血圧値記憶領域に順次記憶させる。なお、この記憶装置６８は、磁気ディスク、磁気テープ、揮発性半導体メモリ、或いは不揮発性半導体メモリなどのよく知られた記憶装置により構成されている。
【００１２】
心電誘導装置７０は、被測定者の右腕１２と左腕１３の手首に接触させられる一対の電極１８を通して、心筋の活動電位を示す心電誘導波形、所謂心電図を連続的に検出するものであり、その心電誘導波形を示す信号を前記電子制御装置５８へ供給する。
【００１３】
図３は、上記自動血圧測定装置８における電子制御装置５８の制御機能の要部を説明する機能ブロック線図である。図３において、圧力変化手段８０は、被測定者の平均血圧値ＭＢＰ以上の圧力領域において、カフ１５の圧迫圧力を所定速度で緩やかに変化させる。たとえば、所定の目標カフ圧値Ｐ１  （例えば、１８０ｍｍＨｇ程度の圧力値）から、切換弁４２を徐速降圧状態に切り換えることにより、カフ１５の圧迫圧力を所定速度で緩やかに降圧させる。カフ脈波検出手段８２は、圧力変化手段８０によるカフ１５の圧迫圧力を変化させる過程、すなわち、上記徐速降圧過程において、カフ１５に発生する圧力振動波であるカフ脈波を逐次検出する。心電誘導波形検出手段８４は、圧力変化手段８０によるカフ１５の圧迫圧力を変化させる過程、すなわち、上記徐速降圧過程において、生体に接触される電極１８を通して、生体における心筋の活動電位に伴って発生する心電誘導波形を逐次検出する。
【００１４】
時間差算出手段８６は、カフ脈波検出手段８２により逐次検出されたカフ脈波の周期毎に発生する立ち上がり部位から、心電誘導波形検出手段８４により逐次検出された心電誘導波形の周期毎に発生する所定の部位までの時間差、たとえば、図６に示されるような心電誘導波形のＲ波からカフ脈波の下ピーク点までの時間差Ｔｄを逐次算出する。なお、カフ脈波の立ち上がり部位には、上記下ピーク点の他、下ピーク点から所定の振幅値だけ立ち上がった点、或いはカフ脈波の最大傾斜点（カフ脈波の微分波形の最大ピーク点に相当）などが対応しており、別言すれば、カフ脈波の最大点以外の所定点が対応している。動脈弾性度評価手段８８は、前記圧力変化手段８０によりカフ１５の圧迫圧力が変化させられると共に、時間差算出手段８６により算出される時間差Ｔｄが変化する傾向に基づいて、生体における動脈の弾性度を評価する。また、血圧測定手段９０は、前記徐速降圧過程において、圧力センサ４０を介して脈波弁別回路５４により採取されるカフ脈波の振幅の変化に基づいてよく知られたオシロメトリック方式により被測定者の最高血圧値ＳＢＰおよび最低血圧値ＤＢＰ等を測定する。
【００１５】
図４は、上記電子制御装置５８の制御作動の要部を説明するフローチャートである。図のステップＳＡ１（以下、ステップを省略する）では、カード読込み装置７２のカード挿入口２８へ磁気カード７４が挿入されたか否かが判断される。このステップＳＡ１の判断が否定された場合には本ルーチンが終了させられるが、肯定された場合にはＳＡ２において磁気カード７４に記録されたＩＤ信号が読み込まれる。
【００１６】
続くＳＡ３では、読み込まれたＩＤ信号が記憶装置６８の記憶領域に予め登録されたものであるか否かが判断される。このＳＡ３の判断が否定された場合すなわち磁気カード７４に記録されたＩＤ信号が未登録である場合は、後述のＳＡ１４が実行されてカード挿入口２８から磁気カード７４が送り出される。しかし、このＳＡ３の判断が肯定された場合すなわち磁気カード７４に記録されたＩＤ信号が登録済である場合は、続くＳＡ４において血圧測定のための起動スイッチ２２が操作されたか否かが判断される。
【００１７】
このＳＡ４の判断が否定されると肯定されるまで待機される。しかし、このＳＡ４の判断が肯定された場合は、続くＳＡ５において、切換弁４２が圧力供給状態に切り換えられ且つ空気ポンプ４４が駆動されてカフ圧ＰＣ  が予め設定された目標カフ圧Ｐ１  （例えば１８０ｍｍＨｇ程度の圧力）まで昇圧された後、空気ポンプ４４が停止させられる。次いで、圧力変化手段８０に対応するＳＡ６において、切換弁４２が徐速排圧状態に切り換えられることによりカフ１５内の徐速排圧が開始される。
【００１８】
続く心電誘導波形検出手段８４に対応するＳＡ７においては、被測定者の両腕に接触される電極１８を通して心電誘導装置７０による心電誘導波形の検出が開始される。次いで、ＳＡ８において、脈波信号ＳＭ１  が読み込まれてカフ脈波が１拍検出されたか否かが判断される。この判断が否定された場合にはＳＡ８が繰り返し実行されるが、肯定された場合には、血圧測定手段９０に対応するＳＡ９の血圧値決定ルーチンが実行される。この血圧値決定ルーチンにおいては、カフ圧ＰＣ  の徐速降圧過程で逐次検出されたカフ脈波の振幅の変化に基づいて、良く知られたオシロメトリック方式の血圧値決定アルゴリズムに従って最高血圧値ＳＢＰ、最低血圧値ＤＢＰ、および平均血圧値ＭＢＰが決定されると共に、カフ脈波間隔に基づいて脈拍数ＨＲが決定される。
【００１９】
次にＳＡ１０において、最高血圧値ＳＢＰ及び最低血圧値ＤＢＰの決定が完了したか否かが判断される。この判断が否定された場合にはＳＡ８乃至ＳＡ１０が繰り返し実行される。しかし、この判断が肯定された場合には、続くＳＡ１１において、切換弁４２が急速排圧状態に切り換えられることにより、カフ１５内の急速排圧が開始される。
【００２０】
そして、続くＳＡ１２において、測定された上記最高血圧値ＳＢＰ、最低血圧値ＤＢＰ、平均血圧値ＭＢＰ、および脈拍数ＨＲと測定日時とが記憶装置６８の血圧値記憶領域内に被測定者毎に記憶されると共に、最高血圧表示器３２、最低血圧表示器３４、脈拍数表示器３６にそれぞれ表示される。次いで、ＳＡ１３において、たとえば図５に示されるように、前記最高血圧値ＳＢＰ等が、プリンタ２６により記録紙９２上に表示出力される。すなわち、記録紙９２上の左上の位置には被測定者の氏名９４が表示されると共に、その下側には、測定日時、血圧値、脈拍数、および後述する被測定者の動脈の弾性度を測る指標となる動脈弾性度のリスト９６、トレンドグラフ９８が順次表示される。このトレンドグラフ９８では、最高血圧値および最低血圧値を上端および下端それぞれに示す棒線と、脈拍数を示す△印と、動脈弾性度を示す●印とが血圧測定時点に対して横軸すなわち時間軸１００に沿って表示されている。そして、続くＳＡ１４が実行されることにより、磁気カード７４がカード挿入口２８から送り出される。
【００２１】
図６は、図４のフローチャートに表されるメインルーチンに対して、心電誘導波形のＲ波が検出されると実行される割込ルーチンを説明するフローチャートである。図のＳＢ１では、心電誘導装置７０により逐次検出される心電誘導波形において、Ｒ波が発生した際の時刻が読み込まれる。続くカフ脈波検出手段８２に対応するＳＢ２においては、圧力センサ４０により逐次検出される脈波信号ＳＭ１  において、カフ脈波が１拍検出されたか否かが判断される。この判断が否定された場合にはＳＢ２が繰り返し実行されるが、肯定された場合には、続くＳＢ３が実行されることにより、カフ脈波の下ピーク点が発生した際の時刻が読み込まれる。
【００２２】
次に、ＳＢ４においては、上記ＳＢ３が実行された時点におけるカフ圧ＰＣ  が読み込まれ、続く時間差算出手段８６に対応するＳＢ５において、図７に示されるように、心電誘導波形のＲ波からカフ脈波の下ピーク点までの時間差Ｔｄが算出される。続いて、ＳＢ６においては、図８に示されるように、１周期前に算出された時間差Ｔｄｎ−１  と今回算出された時間差Ｔｄｎ  との差Ｄが算出され、この差Ｄが所定値Ａ以下になったか否かが判断される。なお、この所定値Ａは、カフ圧ＰＣ  の変化に対して時間差Ｔｄの変化が殆どなくなったことを表している予め実験的に決定される一定値である。
【００２３】
上記ＳＢ６の判断が否定された場合は、割込ルーチンが終了させられ、再び図４のメインルーチンが実行されるが、肯定された場合は、続く動脈弾性度評価手段８８に対応するＳＢ７及びＳＢ８が実行される。ＳＢ７においては、上記ＳＢ４及びＳＢ５から求められるカフ圧ＰＣ  及び時間差Ｔｄを順次プロットすることにより得られる図８のＴｄ−カフ圧曲線に基づいて、傾きΔＴｄ／ΔＰＣ  （ｍｓ／ｍｍＨｇ）が算出される。具体的には、予め実験的に求められるカフ圧ＰＣ  の変化に対して時間差Ｔｄの変化が殆どなくなる時点におけるカフ圧Ｐｔ  （図７の変曲点Ｃにおけるカフ圧に相当）を基準にして、そのカフ圧Ｐｔ  から所定値、たとえば５０ｍｍＨｇ程度大きいカフ圧Ｐｔ  ’とカフ圧Ｐｔ  との差と、Ｔｄ−カフ圧曲線においてカフ圧Ｐｔ  ’及びカフ圧Ｐｔ  にそれぞれ対応する時間差Ｔｄｔ  ’  及びＴｄｔ  との差との比〔（Ｔｄｔ  ’  −Ｔｄｔ  ）／（Ｐｔ  ’−Ｐｔ  ）〕（ｍｓ／ｍｍＨｇ）を求めることにより算出される。
【００２４】
次いで、ＳＢ８においては、ＳＢ７において算出された傾き値から、動脈弾性度すなわち被測定者の動脈のしなやかさが評価される。具体的には、この傾き値が小さいほど動脈弾性度は小さい。すなわち、動脈は硬化しているので、たとえば、図９に示されるような表からその傾き値に基づいて、８段階ある動脈弾性度のうちの何れか一つを選択させ、求められた動脈弾性度を前記ＳＡ１３において、リスト９６およびトレンドグラフ９８として表示出力させることにより、動脈弾性度の経時的な変化が評価される。
【００２５】
上述のように、本実施例によれば、圧力変化手段８０に対応するＳＡ６によりカフ１５の圧迫圧力が所定速度で緩やかに降圧させられる過程において、カフ脈波検出手段８２に対応するＳＢ２によりカフ１５に発生する圧力振動波であるカフ脈波が逐次検出され、心電誘導波形検出手段８４に対応するＳＡ７により生体に接触される電極１８を通して、生体の心電誘導波形が逐次検出されると、時間差算出手段８６に対応するＳＢ５によりカフ脈波の周期毎に発生する立ち上がり部位から、心電誘導波形の周期毎に発生する所定の部位までの時間差が逐次算出される。そして、動脈弾性度評価手段８８に対応するＳＢ７、ＳＢ８により、圧力変化手段８０に対応するＳＡ６によりカフの圧迫圧力が降圧させられると共に、時間差算出手段８６に対応するＳＢ５により算出される時間差が変化する傾向に基づいて、生体における動脈の弾性度が評価される。したがって、高血圧患者に対して、より根源的な原因に遡ぼって症状の進行の程度を評価することが可能となるので、日常的に血圧降下剤を服用している高血圧患者に対しても、たとえば、食事療法などによる高血圧症の改善の程度を評価することが可能となる。
【００２６】
また、本実施例によれば、血圧測定と同時に動脈弾性度も評価されるので、被測定者により多くの生体情報が提供されることになり、健康状態をより多角的に判断することが可能となる。しかも、動脈弾性度はリスト９６及びトレンドグラフ９８として表示出力されるので、経時的変化を簡便且つ正確に把握することができる。
【００２７】
以上、本発明の一実施例を図面に基づいて説明したが、本発明はその他の態様においても適用される。
【００２８】
たとえば、前述の実施例においては、心電誘導波形のＲ波からカフ脈波の下ピーク点までの時間差Ｔｄの変化する傾向に基づいて、動脈弾性度が評価されていたが、その時間差Ｔｄは、心電誘導波形のＱ波或いはＳ波からカフ脈波の下ピーク点から所定の振幅値だけ立ち上がった点までの時間差、心電誘導波形のＱ波或いはＲ波からカフ脈波の最大傾斜点までの時間差など、種々に定義され得る。
【００２９】
また、前述の実施例においては、右腕１２が貫通穴１４に差し込まれるように構成されていたが、左腕１３が貫通穴１４に差し込まれるように構成されていても差支えなく、この場合は貫通穴１４、第１アームレスト１７、および第２アームレスト１９等が左右反対の位置に設けられる。さらに、前述の実施例において、第１アームレスト１７は上り坂状に設けられていたが、別に水平状に設けられていても構わず、逆に第２アームレスト１９が上り坂状に設けられていても構わない。要するに、筋肉が弛緩した状態に良好に保たれるように設計されていればよいのである。
【００３０】
また、前述の実施例において、心電電極１８は第１アームレスト１７の先端部と第２アームレスト１９の先端部に設けられていたが、別にこの位置に限られる必要はなく、アームレストの形状および設置場所等により様々な設置位置に変更され得る。要するに、右腕１２と左腕１３とから安定した心電誘導波形を検出できるように設置されていればよいのである。
【００３１】
また、前述の実施例においては、カフ１５が自動的に被測定者の腕に巻き締められる形式の自動血圧測定装置８が採用されていたが、別に、被測定者が自分で腕に巻き締める形式の自動血圧測定装置が採用されていても構わない。
【００３２】
また、前述の実施例において、自動血圧測定装置８は電極１８が本体に一体的に設けられるアームレスト上に設置されることにより、簡便に心電誘導波形が検出できるように構成されていたが、別にこのような構造に限定される必要はなく、例えば、吸盤状の電極１８を生体の一部に吸着させ、その電極１８から延長されるコードが本体と接続されることにより心電誘導波形が検出されるように構成されていても勿論構わない。
【００３３】
本発明はその主旨を逸脱しない範囲において、その他種々の変更が加えられ得るものである。
【図面の簡単な説明】
【図１】本発明の一実施例である自動血圧測定装置８を説明する斜視図である。
【図２】図１の実施例の回路構成を説明するブロック線図である。
【図３】図１の実施例の電子制御装置５８の制御機能の要部を説明する機能ブロック線図である。
【図４】図１の実施例の電子制御装置５８の制御作動の要部を図６と共に説明するフローチャートであって、本制御作動のメインルーチンを表している。
【図５】図１の実施例のプリンタ２６による表示出力の一例を示す図である。
【図６】図１の実施例の電子制御装置５８の制御作動の要部を図４と共に説明するフローチャートであって、本制御作動の割り込みルーチンを表している。
【図７】図１の実施例の制御作動により求められる時間差Ｔｄを説明するタイムチャートである。
【図８】カフ圧ＰＣ  の変化に対する時間差Ｔｄの変化を示した図であって、動脈弾性度の違いによる時間差Ｔｄの変化傾向の違いを説明している。
【図９】図７のＴｄ−カフ圧曲線から算出される傾き値ΔＴｄ／ΔＰＣ  （ｍｓ／ｍｍＨｇ）を、所定の動脈弾性度に換算し直す際に用いられる表の一例を示す図である。
【符号の説明】
８：自動血圧測定装置
１５：カフ
１８：電極
８０：圧力変化手段
８２：カフ脈波検出手段
８４：心電誘導波形検出手段
８６：時間差算出手段
８８：動脈弾性度評価手段
９０：血圧測定手段
【図１】
0003580924.tif 000002
【図２】
0003580924.tif 000003
【図３】
0003580924.tif 000004
【図４】
0003580924.tif 000005
【図５】
0003580924.tif 000006
【図６】
0003580924.tif 000007
【図７】
0003580924.tif 000008
【図８】
0003580924.tif 000009
【図９】
0003580924.tif 000010